(57)【特許請求の範囲】
【請求項１】
給水配管に接続されるスプリンクラーヘッドに嵌合されている有底円筒形状をした保護キャップを取外すための工具であり、
本体の一端側には本体の中心軸と平行に延出された突起が設置されており、
突起の先端には本体の中心軸と交差する方向に突出した爪が形成され、
保護キャップの底面に形成されている段部に前記爪が係合可能であるとともに、
保護キャップの底面に形成されたスリットまたは摘部を保持して供回り可能とする保持部を備えており、
保持部は爪が段部に係合するよりも前にスリットまたは摘部を供回り可能に保持することを特徴とするスプリンクラーヘッド用保護キャップ取外し工具。
【請求項２】
前記本体の他端側には把持部を備える請求項１記載のスプリンクラーヘッド用保護キャップ取外し工具。
【請求項３】
前記保護キャップの段部と前記取外し工具の爪が係合状態において供回り可能である請求項１または請求項２記載のスプリンクラーヘッド用保護キャップ取外し工具。
【請求項４】
保持部の先端が、爪よりも上方に設置されている請求項１〜請求項３の何れか１項記載のスプリンクラーヘッド用保護キャップ取外し工具。
【請求項５】
保持部は断面U字型をしており、摘部を保持部の内部に収容する請求項１〜請求項４の何れか１項記載のスプリンクラーヘッド用保護キャップ取外し工具。
【発明の詳細な説明】
【技術分野】
【０００１】
本発明は、消火用のスプリンクラーヘッドに装着された保護キャップを取り外すための工具に関するものである。
【背景技術】
【０００２】
消火用のスプリンクラーヘッドは、火災時に自動的に作動してノズルから水を散布するものであり、平時においてノズルは弁によって閉塞されている。弁は感熱分解部により支持されており、感熱分解部は火災の熱によって分解作動するものであるが、強い衝撃を受けた場合に分解作動する虞があることから、輸送や施工時においてはスプリンクラーヘッドに保護キャップを装着させて感熱分解部を外的衝撃から保護している。
【０００３】
保護キャップは施工が完了すると取外されるが、天井面に設置されたスプリンクラーヘッドから保護キャップを引き抜くために作業者が脚立に上って作業しなければならず、またスプリンクラーヘッドは数メートル間隔で設置されているため、保護キャップを引き抜くために脚立を持ってスプリンクラーヘッドの真下へ移動し、脚立に上って保護キャップを引き抜くという作業を繰り返さなければならず、手間と時間のかかる作業となっていた。
【０００４】
この作業を軽減するため、保護キャップ取外し工具（例えば、特許文献１参照）が用いられている。保護キャップ取外し工具は、天井下面から突出している保護キャップ下端の鍔部を引っ掛ける係合部と、係合部に接続された棒状部から成り、脚立が無くても棒状部の先端に設置された係合部を保護キャップに引っ掛けて引き抜くことができるものである。
【０００５】
しかしながら、スプリンクラーヘッドの大部分が天井裏に配置されるコンシールド型スプリンクラーヘッドでは、保護キャップの大部分が天井裏に隠れており従来の保護キャップ取外し工具を用いて保護キャップを引き抜くことが困難であった。
【０００６】
このため、コンシールド型スプリンクラーヘッドの保護キャップ取外し工具として特許文献２に記載のものがある。これは取外し工具を保護キャップの底面側から挿通して工具を回転させることで保護キャップの係合部と係合させて引き抜くものである。
【先行技術文献】
【特許文献】
【０００７】
【特許文献１】登録実用新案３０２７９８５号公報
【特許文献２】特開２０１３−２４８３２１号公報
【発明の概要】
【発明が解決しようとする課題】
【０００８】
本発明は、保護キャップの工具係合部が天井内部にある場合でも、工具を簡単に手間無く保護キャップに係合させることができる保護キャップ取外し工具の提供を目的とする。
【課題を解決するための手段】
【０００９】
上記の目的を達成するために、本発明は以下のスプリンクラーヘッド用保護キャップ取外し工具を提供する。
すなわち、給水配管に接続されるスプリンクラーヘッドに嵌合されている有底円筒形状をした保護キャップを取外すための工具であり、本体の一端側には本体の中心軸と平行に延出された突起が設置されており、突起の先端には本体の中心軸と交差する方向に突出した爪が形成され、保護キャップの底面に形成されている段部に前記爪が係合可能であるスプリンクラーヘッド用保護キャップ取外し工具（以下、取外し工具とする）である。
【００１０】
これによれば、本体に設置された突起が弾性変形することで保護キャップ底面の段部と爪を係合可能にすることができる。具体的には、保護キャップの底面に形成された穴の縁を段部とした場合、取外し工具の一端側を中心軸に沿って保護キャップの底面に向かって移動させる。すると、突起の先端が保護キャップの段部と接触しながら爪が内側に弾性変形して保護キャップ内部に挿通される。爪が保護キャップ内部に入り込むと突起が元の形状に戻るので爪の先端が前記穴の縁に係合される。この状態で本体を下方に移動すると保護キャップをスプリンクラーヘッドから引き抜いて取外すことができる。
【００１１】
本発明の取外し工具について、本体の他端側には把持部を備える。把持部として棒状部材を本体に接続することができる。これにより作業者が脚立に上らずに天井付近に設置された保護キャップを取外し工具に係止させて引き抜くことができる。
【００１２】
取外し工具は保護キャップの段部と取外し工具の爪が係合した状態において供回り可能であり、さらに取外し工具には保護キャップに形成されたスリットまたは突起を保持して前記供回り可能とする保持部を備えることができる。
【発明の効果】
【００１３】
本発明によれば、保護キャップが天井から室内側に突出していない状態でも取外し工具を保護キャップと容易に係合可能であり、これにより保護キャップの取外し作業の効率の向上を図ることができる。
【図面の簡単な説明】
【００１４】
【図１】第１実施形態の取外し工具および保護キャップを装着したスプリンクラーヘッドの断面図。
【図２】（ａ）図１の保護キャップの断面図、（ｂ）図１の保護キャップの底面図。
【図３】図１の取外し工具の斜視図。
【図４】図１の保護キャップに取外し工具を係合させた状態の断面図。
【図５】第２実施形態の取外し工具の正面図。
【図６】（ａ）は図５の取外し工具を適用可能な保護キャップの底面図。(ｂ）は図６（ａ）のＸ−Ｘ断面図。
【発明を実施するための最良の形態】
【００１５】
第１実施形態（図１〜図４）
第１実施形態の保護キャップ取外し工具１００は、本体１、把持部２を備えている。
【００１６】
本体１は円柱状であり、上端側の外縁部には本体１の中心軸と平行に延出した２本の突起１１が形成されている。突起１１は弾性を有しており、本体１の中心軸方向に弾性変形可能である。
【００１７】
突起１１の先端には外側に向かって突出した爪１１Ａが形成されており、爪１１Ａの上方には斜面１１Ｂが形成されている。爪１１Ａは保護キャップＣの水抜き穴３２の縁と係合される。
【００１８】
２つの突起１１の間には断面Ｕ字型の保持部１２が形成されている。保持部１２のスリット１２Ａは２つの突起１１を結ぶ直線に対して垂直方向に形成されている。スリット１２Ａには保護キャップＣの底面に形成されている摘部３０が収容される。このとき取外し工具１００を軸周りに回転させると保持部１２が摘部３０を保持して保護キャップＣが取外し工具１００と供回りする。
【００１９】
一方、保持部１２を設けずに爪１１Ａが水抜き穴３２と係合した状態で取外し工具１００を軸周りに回転させると、爪１１Ａの側面と水抜き穴３２の縁が係合して取外し工具１００と保護キャップＣが供回り可能である。しかしながら回転時に爪１１Ａに過負荷が加わり、爪１１Ａが破損してしまう可能性があるので保持部１２により摘部３０を保持させることが望ましい。
【００２０】
本体１の下端側は、棒状の把持部２を装着するための穴１３が形成されており、把持部２は穴１３の内部に挿通されて固定設置される。
【００２１】
保護キャップＣは有底円筒形状であり、スプリンクラーヘッドＳＨの外部に設けられたサポートカップ４１の内部に嵌合または係合されている。
【００２２】
保護キャップＣの底面には半円型の凹部３１が２つ形成され、凹部３１の平面部３１Ａが向かい合っている。２つの凹部３１の間は前述の摘部３０となっており、上記の取外し工具１００によって保護キャップＣを回転させる他に、指で摘部３０を保持して保護キャップＣを回転させることも可能である。
【００２３】
凹部３１の曲面部３１Ｂには水抜き穴３２が形成されており、水抜き穴３２は保護キャップＣ内部の水を外部に排出することができる。また、水抜き穴３２は爪１１Ａが係合される「段部」として作用するものである。
【００２４】
曲面部３１Ｂと保護キャップＣの側面内部との間には環状空間３４が形成されている。保護キャップＣをスプリンクラーヘッドＳＨに装着した状態において、スプリンクラーヘッドＳＨの下端に配置されたデフレクターＤは凹部３１の上部３１Ｃに載置されている。
【００２５】
本実施形態では、保持部１２の先端が爪１１Ａよりも上方に形成されていることから、取外し工具１００を保護キャップＣの底面に向かって移動させると、先に保持部１２の内部に摘部３０が収容され、その後に爪１１Ａが水抜き穴３２の縁と係合される。
【００２６】
スプリンクラーヘッドＳＨの構造については、国際公開第２０１１／１２５１６９号や特開２０１３−５６０８４号に記載のものと同様であるので詳細な説明は省略する。
【００２７】
次に、本発明の取外し工具１００を用いて保護キャップＣをスプリンクラーヘッドＳＨから取外す手順を説明する。
【００２８】
図１に示すようにスプリンクラーヘッドＳＨは天井裏に配設された給水配管Ｐに接続されている。スプリンクラーヘッドＳＨに装着された保護キャップＣは、下端部分のみが天井から突出した状態となっている。
【００２９】
天井ボードには保護キャップＣの下側を室内へ露出させる穴Ｈがあけられているが、穴Ｈが大きすぎたり、穴Ｈが偏心している場合には穴Ｈの縁をパテ４５で埋める場合がある。図１において保護キャップＣと天井ボートの穴Ｈとの間はパテ４５によって埋められており、パテ４５の一部が保護キャップＣの側面に貼りついて固着した状態にある。
【００３０】
先ず、取外し工具１００を保護キャップＣの底面に対して垂直に近付ける。その際、保護キャップＣの摘部３０が取外し工具１００の保持部１２の内部に入るように取外し工具１００の向きを調整する。
【００３１】
摘部３０を保持部１２の内部に収容させると、突起１１の上方に水抜き穴３２のが配置される。取外し工具１００をさらに上方に移動させると斜面１１Ｂが水抜き穴３２の縁と接触しながら突起１１が本体１の中心軸方向に弾性変形する。爪１１Ａが水抜き穴３２の内部に入ると、突起１１は元の形状に戻り爪１１Ａが水抜き穴３２の縁に係合される。
【００３２】
この状態で取外し工具１００の把持部２を軸周りに回転させると、取外し工具１００と保護キャップＣは供回りする。これにより、保護キャップＣの側面に固着しているパテ４５を引き剥がすことができる。続いて取り外し工具１００を下方へ移動して、保護キャップＣをスプリンクラーヘッドＳＨから引き抜いて作業を完了する。
【００３３】
上記の天井裏に設置されるスプリンクラーヘッドＳＨの他に、天井の無い部分に設置されるフレームヨーク型スプリンクラーヘッドの保護キャップを取外す場合には、上記のパテ４５を引き剥がす工程が省かれる。
【００３４】
第２実施形態（図５〜図６）
第２実施形態の取外し工具２００は、水抜き穴３２が摘部３０に設置されている保護キャップＣに適用可能である。取外し工具２００は突起１１が本体１の外側に弾性変形可能であり、爪１１Ａは突起１１が弾性変形する方向と反対側に向かって突出している。
【００３５】
取外し工具２００の保持部１２は保護キャップＣの摘部３０を収容・保持することができる。図６（ａ）に点線で示すように、保持部１２は突起１１に隣接して設置されており、突起１１と保持部１２は本体１の中心軸に対して点対称に配置されている。
【００３６】
取外し工具２００を保護キャップＣと係合させる場合、取外し工具２００を保護キャップＣの底面に対して垂直に移動させると、先ず保持部１２のスリット１２Ａ内に摘部３０が収容される。さらに取外し工具２００を移動させると、突起１１の上端が保護キャップＣの水抜き穴２３の縁に接触して外側に弾性変形する。爪１１Ａが保護キャップＣの内部に入り込むと突起１１は元の状態に戻り、爪１１Ａが水抜き穴３２の縁に係合される。
【符号の説明】
【００３７】
１００、２００  取外し工具  
Ｃ  保護キャップ  
ＳＨ  スプリンクラーヘッド  
１  本体  
２  把持部  
１１  突起  
１１Ａ  爪  
１１Ｂ  斜面  
１２  保持部  
１２Ａ  スリット  
３０  摘部  
３１  凹部  
３２  水抜き穴  
３４  環状空間  
【図１】
0006475970.tif 000002
【図２】
0006475970.tif 000003
【図３】
0006475970.tif 000004
【図４】
0006475970.tif 000005
【図５】
0006475970.tif 000006
【図６】
0006475970.tif 000007